(57)【要約】【課題】流木を効果的に捕捉することができる捕捉体の設置構造を提供することである。【解決手段】捕捉体の設置構造は、不透過型砂防堰堤２の上流側に河川の上流から流れてくる流木を捕捉する複数の捕捉体１が河川に設置されている捕捉体の設置構造であって、各捕捉体１は、河川の横断方向に間隔を空けて配置される複数の柱部３と、河川の横断方向に延びて複数の柱部３を河川の横断方向に連結する横桟部材４とを、少なくとも有して構成されており、複数の捕捉体１は、互いに河川の流れ方向に間隔を空けると共に、河川の流れ方向に対して傾斜する方向に並ぶようにして設置されている。【選択図】図１
2020186636.tif 000002
【特許請求の範囲】
【請求項１】
不透過型砂防堰堤の上流側に河川の上流から流れてくる流木を捕捉する複数の捕捉体が河川に設置されている捕捉体の設置構造であって、
前記各捕捉体は、河川の横断方向に間隔を空けて配置される複数の柱部と、前記河川の横断方向に延びて前記複数の柱部を前記河川の横断方向に連結する横桟部材とを、少なくとも有して構成されており、
前記複数の捕捉体が、互いに前記河川の流れ方向に間隔を空けると共に、前記河川の流れ方向に対して傾斜する方向に並ぶようにして設置されている、捕捉体の設置構造。
【請求項２】
隣り合う前記捕捉体と前記捕捉体との前記河川の流れ方向の間隔が、設定された流木長の１／３〜１／２の間隔に設定されている、
請求項１に記載の捕捉体の設置構造。
【請求項３】
最も上流側に位置する前記捕捉体を頂点として下流側に向かって両岸に近づくように、前記複数の捕捉体が、前記河川の流れ方向に対して傾斜する方向に並ぶようにして設置されている、
請求項１又は請求項２に記載の捕捉体の設置構造。
【請求項４】
前記河川の流れ方向に対して傾斜する方向に互いに間隔を空けて、前記複数の捕捉体が、Ｗ字状に並ぶようにして設置されている、
請求項１又は請求項２に記載の捕捉体の設置構造。
【請求項５】
前記河川の流れ方向に対して一方向に傾斜するよう互いに間隔を空けて、前記複数の捕捉体が設置されており、
最も上流側に設置された前記捕捉体と前記不透過型砂防堰堤との間における前記河川の流れ方向の間隔が、設定された流木長以上の間隔に設定されており、
最も上流側に設置された前記捕捉体と岸との間における前記河川の横断方向の間隔が、前記設定された流木長の１／２以下の間隔に設定されている、
請求項２に記載の捕捉体の設置構造。
【請求項６】
前記捕捉体は、各柱部を下流部から支持する支持部を有している、
請求項１〜請求項５の何れか１項に記載の捕捉体の設置構造。
【発明の詳細な説明】
【技術分野】
【０００１】
本発明は、捕捉体の設置構造に関する。
【背景技術】
【０００２】
従来から、河川の上流から流れてくる流木を捕捉するために、例えば、既設の不透過型砂防堰堤の上流側に設置される捕捉体が知られている（例えば、特許文献１参照）。特許文献１の捕捉体は、堰堤の延在方向に沿って延在する１本の梁部と、この梁部の延在方向に沿って所定間隔おきに複数個連結された柱部と、を備えている。
【０００３】
捕捉体の前記延在方向の長さは、上流から流されてくる流木が捕捉体と堰堤との間を通過して下流側に流出しないように、堰堤の水通し部の水通し幅よりも長くなるように設定されている。
【先行技術文献】
【特許文献】
【０００４】
【特許文献１】特開２０１７−７２０２０号公報
【発明の概要】
【発明が解決しようとする課題】
【０００５】
上記捕捉体では、上流側を向く捕捉面が前記延在方向に一直線状に形成されているため、捕捉面に捕捉された流木が増えてくると、捕捉面における水の通り道が流木によって塞がれていく。そのため、上流から流れてくる水は、捕捉面を通過しにくくなる一方、捕捉体と岸との間を通過する水の量が増加していく。そして、捕捉面における水の通り道が流木によってほとんど塞がれてしまうと、上流から流れてくる水は、捕捉体と両岸との間から十分に下流側へ通過することができなくなるので、捕捉体を越流することになる。その結果、上流から流されてくる流木も捕捉体を越流してしまい、流木を効果的に捕捉できなくなるという問題が生じる。
【０００６】
特に、不透過型砂防堰堤の水通し部の水通し幅が川幅に対して大きい場合には、捕捉体と両岸との間の間隔が小さくなるので、上流から流れてくる水は、捕捉体を越流しやすくなり、上記問題が顕著に生じる。
【０００７】
そこで、本発明は、上記の課題に基づいてなされたものであり、その目的は、流木を効果的に捕捉することができる捕捉体の設置構造を提供することである。
【課題を解決するための手段】
【０００８】
本発明に係る捕捉体の設置構造は、不透過型砂防堰堤の上流側に河川の上流から流れてくる流木を捕捉する複数の捕捉体が河川に設置されている捕捉体の設置構造である。前記各捕捉体は、河川の横断方向に間隔を空けて配置される複数の柱部と、前記河川の横断方向に延びて前記複数の柱部を前記河川の横断方向に連結する横桟部材とを、少なくとも有して構成されている。前記複数の捕捉体は、互いに前記河川の流れ方向に間隔を空けると共に、前記河川の流れ方向に対して傾斜する方向に並ぶようにして設置されている。
【０００９】
この構成によれば、複数の捕捉体は、互いに河川の流れ方向に間隔を空けると共に、河川の流れ方向に対して傾斜する方向に並ぶようにして設置されている。そのため、１つの捕捉体において水の通り道が流木によって塞がれても、その隣の捕捉体との間に水の通り道が確保される。そのため、上流から流れてくる水は、捕捉体を越流しにくくなる。したがって、上流から流されてくる流木を効果的に捕捉することができる。
【００１０】
特に、川幅に対して水通し部の水通し幅が大きい堰堤の上流側に捕捉体が設置される場
合において、捕捉体と岸との間から水を下流側に十分に逃がすことができなくても、隣り合う捕捉体と捕捉体との間を通して水を下流側に逃がすことができるので、上流から流れてくる水は、捕捉体を越流しにくくなる。そのため、上流から流されてくる流木を効果的に捕捉することができる。
【００１１】
上記構成において、隣り合う前記捕捉体と前記捕捉体との前記河川の流れ方向の間隔が、設定された流木長の１／３〜１／２の間隔に設定されていてもよい。
【００１２】
この構成によれば、複数の捕捉体による流木の捕捉効果を維持しつつ、隣り合う捕捉体と捕捉体との間の水の通り道を確保することができる。すなわち、隣り合う捕捉体の間隔が設定された流木長の１／２よりも大きいと、隣り合う捕捉体の間から流木が下流側に流出しやすくなる。また、隣り合う捕捉体の間隔が設定された流木長の１／３よりも小さいと、隣り合う捕捉体と捕捉体との間の水の通り道が流木によって塞がれやすくなる。流木長は、河川の幅や上流側に生えている木の高さに応じて設定される。
【００１３】
上記構成において、最も上流側に位置する前記捕捉体を頂点として下流側に向かって両岸に近づくように、前記複数の捕捉体が、前記河川の流れ方向に対して傾斜する方向に並ぶようにして設置されていてもよい。
【００１４】
この構成によれば、上流から流されてくる流木は、河川の流れに応じて、河川の流れ方向に直交する横断方向の両方向に分けられるように複数の捕捉体に捕捉されるか、または、横断方向の一方に偏るように複数の捕捉体によって捕捉される。そのため、隣り合う捕捉体と捕捉体との間に水の通り道が確保されやすくなるため、上流から流れてくる水は、捕捉体を越流しにくくなる。尚、一部の捕捉体が横断方向に重なる位置に配置されてもよい。
【００１５】
上記構成において、前記河川の流れ方向に対して傾斜する方向に互いに間隔を空けて、前記複数の捕捉体が、Ｗ字状に並ぶようにして設置されていてもよい。
【００１６】
この構成によれば、最も上流側に位置する捕捉体と最も下流側に位置する捕捉体との間の河川の流れ方向の間隔を長くしなくても、横断方向の両端に位置する捕捉体間の横断方向の間隔を長くすることができるので、例えば、堰堤の上流側に橋などの設置物が存在する場合に、設置物に接触しないように複数の捕捉体を設置しやすくなる。尚、一部の捕捉体が横断方向に重なる位置に設置されてもよい。また、一部の捕捉体が不透過型砂防堰堤の水通し部に配置されてもよい。
【００１７】
上記構成において、上記構成において、前記河川の流れ方向に対して一方向に傾斜するよう互いに間隔を空けて、前記複数の捕捉体が設置されていてもよい。最も上流側に設置された前記捕捉体と前記不透過型砂防堰堤との間における前記河川の流れ方向の間隔が、設定された流木長以上の間隔に設定されていてもよい。最も上流側に設置された前記捕捉体と岸との間における前記河川の横断方向の間隔が、前記設定された流木長の１／２以下の間隔に設定されていてもよい。
【００１８】
この構成によれば、最も上流側に設置された前記捕捉体と岸との間における前記河川の横断方向の間隔が、前記設定された流木長の１／２以下の間隔に設定されているので、岸に最も近い捕捉体と岸との間の間隔が狭くなる。そのため、上流から流されてくる流木を、岸に最も近い捕捉体と岸との間から下流側に通過しにくくすることができる。しかも、隣り合う捕捉体と捕捉体との河川の流れ方向の間隔が設定された流木長の１／３〜１／２の間隔に設定されている。したがって、流木の捕捉効果を得ながら、水の通り道を確保できる。よって、最も上流側の捕捉体と不透過型砂防堰堤との間における河川の流れ方向の間隔を設定された流木長以上の間隔に設定したとしても、不透過型砂防堰堤の下流側に流木が流出してしまうことを抑制することができる。尚、一部の捕捉体が横断方向に重なる位置に配置されてもよい。
【００１９】
上記構成において、前記捕捉体は、各柱部を下流側から支持する支持部を有していてもよい。
【発明の効果】
【００２０】
本発明によれば、流木を効果的に捕捉することができる捕捉体の設置構造を提供することができる。
【図面の簡単な説明】
【００２１】
【図１】本発明の第１実施形態に係る捕捉体の設置方法によって捕捉体が設置された状態を示す平面図である。
【図２】本発明の第１実施形態に係る捕捉体の設置方法によって捕捉体が設置された状態を示す側面図である。
【図３】本発明の第１実施形態の変形例に係る捕捉体の設置方法によって捕捉体が設置された状態を示す概略平面図である。
【図４】本発明の第１実施形態の変形例に係る捕捉体が設置された状態を示す簡略平面図である。
【図５】本発明の第２実施形態に係る捕捉体の設置方法によって捕捉体が設置された状態を示す概略平面図である。
【図６】本発明の第３実施形態に係る捕捉体の設置方法によって捕捉体が設置された状態を示す概略平面図である。
【図７】本発明の第４実施形態に係る捕捉体の設置方法によって捕捉体が設置された状態を示す概略平面図である。
【発明を実施するための形態】
【００２２】
以下、本発明の第１〜４実施形態について、図面を参照しながら説明する。但し、以下で参照する各図は、説明の便宜上、本発明の第１〜４実施形態に係る捕捉体の設置方法に使用される捕捉体１を説明するために必要となる主要な構成要素を簡略化して示したものである。したがって、本発明の第１〜４実施形態に係る捕捉体の設置方法に使用される捕捉体１は、本明細書が参照する各図に示されていない任意の構成要素を備え得る。
【００２３】
（第１実施形態）
第１実施形態の捕捉体の設置方法は、河川の上流から流れてくる流木を捕捉する捕捉体１を既設の不透過型砂防堰堤２の上流側に設置するものである。堰堤２は、その底部が地盤に埋設されており、河川の流れ方向（以下、単に「流れ方向Ｄ１」という）に直交する方向（以下、単に「横断方向Ｄ２」という）に沿って延在するように構築されている。
【００２４】
堰堤２は、上端部において横断方向の中央部分から下方に凹むように切り欠かれた水通し部８と、横断方向Ｄ２における水通し部８の両側から両岸まで延びるように設けられた袖部９と、を有する。水通し部８は、上流から流れてくる水を堰堤２の下流に流すために形成されている。
【００２５】
捕捉体１は、図１、２に示すように、横断方向Ｄ２に間隔を空けて配置される複数の柱部３と、横断方向Ｄ２に延びて複数の柱部３を横断方向Ｄ２に連結する横桟部材４と、各柱部３を下流側から支持する支持部５と、を有する。
【００２６】
複数の柱部３は、鋼管によって形成されている。横断方向Ｄ２に隣り合う柱部３と柱部３との間隔は、設定された流木長の１／２以下に相当する間隔に設定される。流木長は、河川の幅や上流側に生えている木の高さに応じて設定され、例えば、河川の幅の１．３倍に設定することができる。
【００２７】
尚、柱部３は、本実施形態では、３本設けられているが、少なくとも２本以上あれば足りる。各柱部３の形状は、上方に延びるように形成されていれば、例えば、円柱状や角柱状であってもよい。また、柱部３は、Ｈ型鋼によって形成されてもよい。
【００２８】
支持部５は、鋼管によって形成されている。尚、支持部５は、Ｈ型鋼によって形成されてもよい。支持部５の形状は、柱部３を支持することができれば、円柱状や角柱状であってもよい。支持部５は、図２に示すように、各柱部３の下流側を向く面から水平方向に延びるとともに斜め下方に屈曲するように延びている。尚、支持部５は、各柱部３の下流側を向く面から水平方向に延びるとともに垂直に屈曲して真っ直ぐ下方に延びていてもよい。尚、支持部５は、省略されてもよい。
【００２９】
捕捉体１は、横断方向に隣り合う柱部３や横桟部材４によって流木を捕捉するとともに、隣り合う柱部３と横桟部材４との間における隙間に水の通り道を形成している。
【００３０】
捕捉体１は、河川の川床に埋設されるベース部６に連結される。ベース部６は、Ｈ型鋼を枠状に組合せたものである。ベース部６は、捕捉体１を川床に設置した際の安定性を確保するためのものである。尚、ベース部６は、鋼管によって形成されてもよい。
【００３１】
ベース部６は、流れ方向Ｄ１に延びる第１連結部６ａと、横断方向Ｄ２に延びる第２連結部６ｂと、を有する。柱部３の下端部と支持部５の下端部とは、第１連結部６ａによって連結されている。複数の柱部３の下端部同士は、第２連結部６ｂによって連結されている。複数の支持部５の下端部同士は、第２連結部６ｂによって連結されている。
【００３２】
第１連結部６ａの一部は、柱部３の下端部から上流方向に突出する位置まで流れ方向Ｄ１に延びるとともに、支持部５の下端部から下流方向に突出する位置まで流れ方向Ｄ１に延びている。第１連結部６ａの一部は、流れ方向Ｄ１に対して傾斜する方向に互いに間隔を空けて設置された捕捉体１と捕捉体１とを流れ方向Ｄ１に連結している。以下、流れ方向Ｄ１に対して傾斜する方向に互いに間隔を空けて設置された捕捉体１と捕捉体１とを隣り合う捕捉体１、１と言う。
【００３３】
ベース部６の第１連結部６ａにおいて柱部３の下端部から上流方向に突出する部分と、第１連結部６ａにおいて支持部５の下端部から下流方向に突出する部分と、にはコンクリートブロック７が載置される。これにより、ベース部６の自重を稼ぎ、捕捉体１を川床に設置した際の安定性を向上させている。
【００３４】
上記のように構成された捕捉体１は、次のようにして既設の不透過型砂防堰堤２の上流側に設置される。
【００３５】
まず、設置現場において、複数の捕捉体１を所定の位置に配置すべく捕捉体１の設置位置を決定する決定工程が行われる。決定工程では、流れ方向Ｄ１に対して傾斜する方向に間隔を空けて複数の捕捉体１が並ぶように捕捉体１の設置位置が決定される。設置位置は、各捕捉体１の中心（図１の例では、真ん中の柱部３）が流れ方向Ｄ１に傾斜した方向に間隔を空けて位置するように決定される。図１の例は、最も上流側に位置する捕捉体１を頂点として下流側に向かって両岸に近づくように、流れ方向Ｄ１に対して傾斜する方向に間隔を空けて複数の捕捉体１が並ぶように位置決めされた場合の例である。この場合において、流れ方向Ｄ１における隣り合う捕捉体１、１同士の間隔Ｌ１は、柱部３を基準に設定される。間隔Ｌ１は、設定された流木長の１／３〜１／２の間隔に設定される。
【００３６】
尚、図１に示すように、隣り合う捕捉体１、１における柱部３、３同士が流れ方向Ｄ１に重なる位置に設置されてもよく、隣り合う捕捉体１、１における柱部３、３同士が流れ
方向Ｄ１に重ならないように設置されてもよい。また、隣り合う捕捉体１、１同士が流れ方向Ｄ１に重ならないように設置されてもよい。
【００３７】
また、最も下流側に位置する２つの捕捉体１の設置位置は、上記設置位置に加えて、堰堤２の袖部９と流れ方向Ｄ１に重なる位置に設定される。本実施形態では、捕捉体１において横断方向の約半分に相当する部分が袖部９と流れ方向Ｄ１に重なる位置に設定されている。さらに、最も下流側に位置する２つの捕捉体１の設置位置は、捕捉体１の柱部３と袖部９との間における流れ方向Ｄ１の間隔Ｌ２が、設定された流木長の１／３〜１／２の間隔に設定される。
【００３８】
設定工程が終了すると、設定工程で設定された設置位置に複数の捕捉体１を設置する設置工程が行われる。設置工程では、まず、上記設置位置に複数の捕捉体１を設置できるように、ベース部８を川床に埋設するための掘削作業が行われる。掘削深さは、ベース部８と複数の捕捉体１の下端部とを川床に埋設できる程度の深さとされる。
【００３９】
次いで、上記設置位置に各捕捉体１が位置するように、掘削された掘削部分にベース部６を載置するとともに、ベース部６における柱部３の下端部から上流方向に突出する部分と、支持部５の下端部から下流方向に突出する部分と、の上にコンクリートブロック７を載置する。この状態で、捕捉体１の下端部をベース部６とコンクリートブロック７とともに川床に埋設する（図２参照）。
【００４０】
尚、川床に埋設する部分は、ベース部６のみであってもよい。また、コンクリートブロック７の重量だけで、捕捉体１を川床に安定化できれば、川床を掘削する作業は省略されてもよい。この場合には、ベース部６は、川床に載置されるだけである。また、流れ方向Ｄ１に隣り合うコンクリートブロック７、７をチェーンなどの連結部材によって連結してもよい。
【００４１】
第１実施形態の捕捉体の設置方法では、流れ方向Ｄ１に対して傾斜する方向に互いに間隔を空けて複数の捕捉体１を設置する。そのため、１つの捕捉体１において水の通り道が流木によって塞がれても、その隣の捕捉体１との間に水の通り道が確保される。そのため、上流から流れてくる水は、捕捉体１を越流しにくくなる。したがって、上流から流されてくる流木を効果的に捕捉することができる。
【００４２】
特に、水通し部８の水通し幅が大きい堰堤２の上流側に捕捉体１が設置される場合には、最も下流側に設置された捕捉体１と岸との間の間隔が短くなることにより、最も岸に近い捕捉体１と岸との間から水を下流側に十分に逃がすことができなくても、隣り合う捕捉体１と捕捉体１との間を通して水を下流側に逃がすことができる。そのため、上流から流れてくる水は、捕捉体１を越流しにくくなる。したがって、上流から流されてくる流木を効果的に捕捉することができる。
【００４３】
第１実施形態の捕捉体の設置方法では、隣り合う捕捉体１と捕捉体１との間における流れ方向Ｄ１の間隔Ｌ１を設定された流木長の１／３〜１／２の間隔に設定しているので、複数の捕捉体１による流木の捕捉効果を維持しつつ、隣り合う捕捉体１と捕捉体１との間の水の通り道を確保することができる。すなわち、隣り合う捕捉体１の間隔が設定された流木長の１／２よりも大きいと、隣り合う捕捉体１と捕捉体１との間から流木が下流側に流出しやすくなる。また、隣り合う捕捉体１と捕捉体１との間隔Ｌ１が設定された流木長の１／３よりも小さいと、隣り合う捕捉体１と捕捉体１との間の水の通り道が流木によって塞がれやすくなる。
【００４４】
第１実施形態の捕捉体の設置方法では、堰堤２の上流側における河川の形状が直線状で
ある場合、上流から流されてくる流木は、捕捉体１に対してまっすぐ向かってくるので、河川の中央を流されてくる流木は、複数の捕捉体１のうちの横断方向Ｄ２の中央に位置する捕捉体１に接触して捕捉される。河川の両岸の近傍を流されてくる流木は、河川の両岸に近い捕捉体１に接触して捕捉される。すなわち、上流から流されてくる流木は、横断方向Ｄ２の両方向に分けられるように複数の捕捉体１に捕捉される。また、堰堤２の上流側における河川の形状がカーブしている場合には、上流から流されてくる流木は、捕捉体１に対して斜めに向かってくるので、横断方向Ｄ２の一方に偏るように複数の捕捉体１によって捕捉される。そのため、隣り合う捕捉体１と捕捉体１との間に水の通り道が確保されやすく、上流から流れてくる水は、捕捉体１を越流しにくい。
【００４５】
以上に説明した捕捉体の設置方法は、本発明の一実施形態であり、その具体的構成については、本発明の趣旨を逸脱しない範囲で適宜変更可能である。以下、本発明の第１実施形態の変形例について説明する。第１実施形態の変形例において第１実施形態の捕捉体１と対応する要素は、第１実施形態の捕捉体１と同様の符号を付して、その説明を省略する。
【００４６】
（第１実施形態の変形例）
第１実施形態の捕捉体の設置方法では、隣り合う捕捉体１、１は、全て流れ方向Ｄ１に対して傾斜する方向に互いに間隔を空けて並ぶように設置されたが、図３に示すように、河川の中央部分に位置する２つの捕捉体１、１については、横断方向Ｄ２に重なるように設置されてもよい。この場合、横断方向Ｄ２に重なる位置に設置された捕捉体１と捕捉体１との間における横断方向Ｄ２の間隔Ｌ３は、設定された流木長の１／２以下に設定される。
【００４７】
第１実施形態の捕捉体の設置方法では、下流側の捕捉体１は、上流側の捕捉体１に対して端の柱部３のみが流れ方向Ｄ１に重なるように設置されたが、上流側の捕捉体１との間における流れ方向Ｄ１に重なる面積が大きくなるように設置されてもよい。図３の例では、下流側の２つの捕捉体１、１のうちの一方の捕捉体１は、上流側の捕捉体１に対して２本の柱部３、３が流れ方向Ｄ１に重なるように設置されている。
【００４８】
第１実施形態の捕捉体の設置方法では、捕捉体１は、柱部３と横桟部材４と支持部５とを有するように構成されたが、変形例に係る捕捉体１１は、図４に示すように、横桟部材４と支持部５とが省略され、横断方向Ｄ２に間隔を空けて配置された２本の柱部３、３を有する構成である。この場合、川床に打設したコンクリートブロック７を基礎として２本の柱部３が立設される。変形例に係る捕捉体１１は、横断方向Ｄ２に隣り合う２本の柱部３、３によって流木を捕捉するとともに、横断方向Ｄ２に隣り合う柱部３と柱部３との間の隙間に水の通り道を形成する。
【００４９】
上記のように構成された変形例に係る複数の捕捉体１１は、横断方向Ｄ２に隣り合う２本の柱部３、３の中央部分が流れ方向Ｄ１に傾斜した方向に並ぶように設置される。図４の例では、隣り合う捕捉体１１、１１における１本の柱部３、３のみが流れ方向Ｄ１に重なるように複数の捕捉体１１が、最も上流側に位置する捕捉体１１を頂点として下流側に向かって両岸に近づくように設置されている。尚、隣り合う捕捉体１１、１１同士が流れ方向Ｄ１に重ならないように設置されてもよい。
【００５０】
隣り合う捕捉体１１、１１同士の流れ方向Ｄ１における間隔Ｌ１は、第１実施形態と同様に、柱部３を基準に設定される。間隔Ｌ１は、設定された流木長の１／３〜１／２の間隔に設定される。
【００５１】
また、最も下流側に位置する２つの捕捉体１１は、第１実施形態同様に、堰堤２の袖部
９と流れ方向Ｄ１に重なる位置に設置される。さらに、最も下流側に位置する２つの捕捉体１１の柱部３と袖部９との間における流れ方向Ｄ１の間隔Ｌ２は、設定された流木長の１／３〜１／２の間隔に設定される。
【００５２】
（第２実施形態）
次に、第２実施形態の捕捉体の設置方法について説明する。以下、第２実施形態において第１実施形態と対応する要素については、第１実施形態と同様の符号を付して、その説明を省略する。
【００５３】
第２実施形態の捕捉体の設置方法では、図５に示すように、流れ方向Ｄ１に対して傾斜する方向に間隔を空けて複数の捕捉体１を凹型に並ぶように設置する。すなわち、最も下流側に位置する捕捉体１を頂点として、上流側に向かって両岸に近づくように複数の捕捉体１が設置される。また、第２実施形態の捕捉体の設置方法では、最も上流側に位置する捕捉体１と岸との間における横断方向Ｄ２の間隔Ｌ４を、設定された流木長の１／２以下に設定している。さらに、最も上流側に位置する捕捉体１の柱部３と堰堤２の袖部９との間における流れ方向Ｄ１の間隔Ｌ５を、設定された流木長以上に設定されている。
【００５４】
尚、第２実施形態の捕捉体の設置方法では、最も下流側に位置する捕捉体１は、堰堤２の水通し部８に設置されているが、水通し部８から上流側に間隔を空けて設置されてもよい。また、隣り合う捕捉体１、１同士が流れ方向Ｄ１に重ならないように設置されてもよい。一部の捕捉体１については、第１実施形態の変形例と同様に、横断方向Ｄ２に互いに重なる位置に設置されてもよい。また、捕捉体１は、横桟部材４と支持部５とが省略され、横断方向Ｄ２に間隔を空けて配置された２本以上の柱部３を有する構成であってもよい。
【００５５】
第２実施形態の捕捉体の設置方法では、最も上流側に設置された捕捉体１と岸との間の横断方向Ｄ２の間隔Ｌ４を設定された流木長の１／２以下に設定しているので、岸に最も近い捕捉体１と岸との間の間隔が狭い。そのため、上流から流されてくる流木が、岸に最も近い捕捉体１と岸との間から下流側に通過しにくい。しかも、隣り合う捕捉体１と捕捉体１との間隔Ｌ１が設定された流木長の１／３〜１／２の間隔に設定されている。したがって、流木の捕捉効果を得ながら、水の通り道を確保できる。よって、最も上流側の捕捉体１と堰堤２との間における流れ方向Ｄ１の間隔Ｌ５を設定された流木長以上の間隔に設定したとしても、堰堤２の下流側に流木が流出してしまうことを抑制することができる。
【００５６】
（第３実施形態）
次に、第３実施形態の捕捉体の設置方法について説明する。以下、第３実施形態において第１実施形態と対応する要素については、第１実施形態と同様の符号を付して、その説明を省略する。
【００５７】
第３実施形態の捕捉体の設置方法では、流れ方向Ｄ１に対して一方向に傾斜するように互いに間隔を空けて複数の捕捉体１を斜直線型に並ぶように設置する。図６の例では、複数の捕捉体１は、最も上流側かつ右岸に近い位置に設置された捕捉体１から最も下流側かつ左岸に近い位置に設置された捕捉体１に向かって斜直線型に並ぶように設置されている。最も下流側に位置する捕捉体１は、堰堤２の袖部９と流れ方向Ｄ１に重なる位置に配置されている。最も下流側に位置する捕捉体１の柱部３と袖部９との間における流れ方向Ｄ１の間隔Ｌ２は、第１実施形態と同様に、設定された流木長の１／３〜１／２の間隔に設定される。最も上流側に設置された捕捉体１と堰堤２の袖部９との間における流れ方向Ｄ１の間隔Ｌ６は、第２実施形態と同様に、設定された流木長以上の間隔に設定される。最も上流側に設置された捕捉体１と岸との間における横断方向Ｄ２の間隔Ｌ４は、第２実施形態と同様に、設定された流木長の１／２以下の間隔に設定される。
【００５８】
尚、複数の捕捉体１は、最も上流側かつ左岸に近い位置に設置された捕捉体１から最も下流側かつ右岸に近い位置に設置された捕捉体１に向かって斜直線型に並ぶように設置されてもよい。また、隣り合う捕捉体１、１同士が流れ方向Ｄ１に重ならないように設置されてもよい。一部の捕捉体１ついては、第１実施形態の変形例と同様に、横断方向Ｄ２に互いに重なる位置に設置されてもよい。また、捕捉体１は、横桟部材４と支持部５とが省略され、横断方向Ｄ２に間隔を空けて配置された２本以上の柱部３を有する構成であってもよい。
【００５９】
第３実施形態の捕捉体の設置方法では、最も上流側に設置された捕捉体１と岸との間の横断方向Ｄ２の間隔Ｌ４を設定された流木長の１／２以下に設定しているので、最も岸に近い捕捉体１と岸との間の間隔が狭い。そのため、上流から流されてくる流木が、岸に最も近い捕捉体１と岸との間から下流側に通過しにくい。しかも、隣り合う捕捉体１と捕捉体１との間における流れ方向Ｄ１の間隔Ｌ１が設定された流木長の１／３〜１／２の間隔に設定されている。したがって、流木の捕捉効果を得ながら、水の通り道を確保できる。よって、最も上流側の捕捉体１と堰堤２との間における流れ方向Ｄ１の間隔Ｌ６を設定された流木長以上の間隔に設定したとしても、堰堤２の下流側に流木が流出してしまうことを抑制することができる。
【００６０】
（第４実施形態）
次に、第４実施形態の捕捉体の設置方法について説明する。以下、第４実施形態において第１実施形態と対応する要素については、第１実施形態と同様の符号を付して、その説明を省略する。
【００６１】
第４実施形態の捕捉体の設置方法では、図７に示すように、流れ方向Ｄ１に対して傾斜する方向に互いに間隔を空けて複数の捕捉体１をＷ字状に並ぶように設置していく。
【００６２】
図７の例では、最も下流側に位置する捕捉体１を１列目として横断方向Ｄ２に間隔を空けて３つ設置するとともに、１列目の捕捉体１の柱部３から上流側に間隔Ｌ１を空けて２つの捕捉体１を２列目として横断方向Ｄ２に間隔を空けて設置している。河川の川幅が広い場合には、例えば、１列目と２列目とが互い違いになるように横断方向Ｄ２に連続するように複数の捕捉体１を設置する。
【００６３】
尚、１列目と２列目に設置される捕捉体１の数は、それぞれ３つと２つに限定されるものではない。１列目と２列目に設置される捕捉体１の数は、反対であってもよく、１つや２つでもよい。
【００６４】
また、第４実施形態の捕捉体の設置方法では、複数の捕捉体１がＷ字状に並ぶように設置されれば、流れ方向Ｄ１に３列以上並ぶように複数の捕捉体１を設置してもよい。この場合において、岸に最も近い捕捉体１の柱部３と堰堤２の袖部９との間における流れ方向Ｄ１の間隔が設定された流木長以上に設定される場合には、岸に最も近い捕捉体１と岸との間における横断方向Ｄ２の間隔は設定された流木長の１／２以下に設定される。
【００６５】
また、隣り合う捕捉体１、１同士が流れ方向Ｄ１に重ならないように設置されてもよい。一部の捕捉体１については、第１実施形態の変形例と同様に、横断方向Ｄ２に互いに重なる位置に設置されてもよい。また、捕捉体１は、横桟部材４と支持部５とが省略され、横断方向Ｄ２に間隔を空けて配置された２本以上の柱部３を有する構成であってもよい。
【００６６】
第４実施形態の捕捉体の設置方法では、最も上流側に位置する捕捉体１と最も下流側に位置する捕捉体１との間の流れ方向Ｄ１の間隔を長くしなくても、横断方向Ｄ２の両端に
位置する捕捉体１、１間の横断方向Ｄ２の間隔を長くすることができるので、例えば、堰堤２の上流側に橋などの設置物が存在する場合に、設置物に接触しないように複数の捕捉体１を設置しやすい。
【００６７】
（他の変形例）
上記各実施形態では、３つ以上の捕捉体１を流れ方向Ｄ１に対して傾斜する方向に互いに間隔を空けて設置したが、少なくとも２つの捕捉体１、１が流れ方向Ｄ１に対して傾斜する方向に互いに間隔を空けて設置されていれば足りる。
【００６８】
上記各実施形態では、川床に載置された捕捉体１のベース部６にコンクリートブロック７を載置することによって捕捉体１を川床に安定化したが、かご枠やネットなどに巨石、礫、土砂などを入れたものを捕捉体１のベース部６に載置することによって捕捉体１を川床に安定化してもよい。また、川床にコンクリートを打設し、打設されたコンクリートにベース部６が固定されることによって捕捉体１を川床に安定化してもよい。尚、コンクリートではなく、ソイルセメントでもよい。
【符号の説明】
【００６９】
１          捕捉体
２          不透過型砂防堰堤
Ｌ１        間隔
Ｌ２        間隔
Ｌ４        間隔
Ｌ６        間隔
【図１】
2020186636.tif 000003
【図２】
2020186636.tif 000004
【図３】
2020186636.tif 000005
【図４】
2020186636.tif 000006
【図５】
2020186636.tif 000007
【図６】
2020186636.tif 000008
【図７】
2020186636.tif 000009
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
不透過型砂防堰堤の上流側に河川の上流から流れてくる流木を捕捉する複数の捕捉体が河川に設置されている捕捉体の設置構造であって、
前記複数の捕捉体それぞれは、河川の横断方向に間隔を空けて配置される複数の柱部と、前記河川の横断方向に延びて前記複数の柱部を前記河川の横断方向に連結する横桟部材とを、少なくとも有して構成されており、
前記複数の捕捉体が、互いに前記河川の流れ方向に間隔を空けると共に、前記河川の流れ方向に対して傾斜する方向に並ぶようにして設置されている、捕捉体の設置構造。
【請求項２】
隣り合う前記捕捉体と前記捕捉体との前記河川の流れ方向の間隔が、設定された流木長の１／３〜１／２の間隔に設定されている、
請求項１に記載の捕捉体の設置構造。
【請求項３】
最も上流側に位置する前記捕捉体を頂点として下流側に向かって両岸に近づくように、前記複数の捕捉体が、前記河川の流れ方向に対して傾斜する方向に並ぶようにして設置されている、
請求項１又は請求項２に記載の捕捉体の設置構造。
【請求項４】
前記河川の流れ方向に対して傾斜する方向に互いに間隔を空けて、前記複数の捕捉体が、Ｗ字状に並ぶようにして設置されている、
請求項１又は請求項２に記載の捕捉体の設置構造。
【請求項５】
前記河川の流れ方向に対して一方向に傾斜するよう互いに間隔を空けて、前記複数の捕捉体が設置されており、
最も上流側に設置された前記捕捉体と前記不透過型砂防堰堤との間における前記河川の流れ方向の間隔が、設定された流木長以上の間隔に設定されており、
最も上流側に設置された前記捕捉体と岸との間における前記河川の横断方向の間隔が、前記設定された流木長の１／２以下の間隔に設定されている、
請求項２に記載の捕捉体の設置構造。
【請求項６】
前記捕捉体は、各柱部を下流部から支持する支持部を有している、
請求項１〜請求項５の何れか１項に記載の捕捉体の設置構造。
【手続補正２】
【補正対象書類名】明細書
【補正対象項目名】０００８
【補正方法】変更
【補正の内容】
【０００８】
本発明に係る捕捉体の設置構造は、不透過型砂防堰堤の上流側に河川の上流から流れてくる流木を捕捉する複数の捕捉体が河川に設置されている捕捉体の設置構造である。前記複数の捕捉体それぞれは、河川の横断方向に間隔を空けて配置される複数の柱部と、前記河川の横断方向に延びて前記複数の柱部を前記河川の横断方向に連結する横桟部材とを、少なくとも有して構成されている。前記複数の捕捉体は、互いに前記河川の流れ方向に間隔を空けると共に、前記河川の流れ方向に対して傾斜する方向に並ぶようにして設置されている。
【手続補正３】
【補正対象書類名】明細書
【補正対象項目名】００２１
【補正方法】変更
【補正の内容】
【００２１】
【図１】本発明の第１実施形態に係る捕捉体の設置方法によって捕捉体が設置された状態を示す平面図である。
【図２】本発明の第１実施形態に係る捕捉体の設置方法によって捕捉体が設置された状態を示す側面図である。
【図３】本発明の第１実施形態の変形例に係る捕捉体の設置方法によって捕捉体が設置された状態を示す概略平面図である。
【図４】参考例に係る捕捉体が設置された状態を示す簡略平面図である。
【図５】本発明の第２実施形態に係る捕捉体の設置方法によって捕捉体が設置された状態を示す概略平面図である。
【図６】本発明の第３実施形態に係る捕捉体の設置方法によって捕捉体が設置された状態を示す概略平面図である。
【図７】本発明の第４実施形態に係る捕捉体の設置方法によって捕捉体が設置された状態を示す概略平面図である。
【手続補正４】
【補正対象書類名】明細書
【補正対象項目名】００４８
【補正方法】変更
【補正の内容】
【００４８】
第１実施形態の捕捉体の設置方法では、捕捉体１は、柱部３と横桟部材４と支持部５とを有するように構成されたが、参考例に係る捕捉体１１は、図４に示すように、横桟部材４と支持部５とが省略され、横断方向Ｄ２に間隔を空けて配置された２本の柱部３、３を有する構成である。この場合、川床に打設したコンクリートブロック７を基礎として２本の柱部３が立設される。参考例に係る捕捉体１１は、横断方向Ｄ２に隣り合う２本の柱部３、３によって流木を捕捉するとともに、横断方向Ｄ２に隣り合う柱部３と柱部３との間の隙間に水の通り道を形成する。